(57)【要約】【課題】より省スペース化を図ることができたり等、より不都合が少なくなるよう改善された新規な構成のスタンド装置を得る。【解決手段】スタンド装置３０は、電子機器１の筐体２に取り付けられ、設置面１００と筐体２との間に介在したベース部１０と、設置面１００と面した底壁２１（第一壁）と、底壁２１から当該底壁２１と交差したＺ方向（第一方向）に延びた側壁２２（第二壁）と、を有し、底壁２１がベース部１０に収納され側壁２２が筐体２と隣接した第一位置Ｐ１と、第一位置Ｐ１からＹ方向（第二方向）に突出し側壁２２が筐体２から離間した第二位置Ｐ２と、の間で移動可能にベース部１０に支持されたシェルフ部２０と、を備える。【選択図】図１
2020149420.tif 000002
【特許請求の範囲】
【請求項１】
電子機器の筐体に取り付けられ、設置面と前記筐体との間に介在したベース部と、
前記設置面と面した第一壁と、前記第一壁から当該第一壁と交差した第一方向に延びた第二壁と、を有し、前記第一壁が前記ベース部に収納され前記第二壁が前記筐体と隣接した第一位置と、前記第一位置から前記第一方向と交差した第二方向に突出し前記第二壁が前記筐体から離間した第二位置と、の間で移動可能に前記ベース部に支持されたシェルフ部と、
を備えた、スタンド装置。
【請求項２】
前記ベース部は、前記設置面と前記第一方向に離間し前記筐体を支持した第三壁と、前記第三壁よりも前記第二方向に位置され前記設置面と接した第四壁と、を有し、
前記第一壁の前記第一方向の第一面は、前記第四壁の前記第一方向の第二面よりも前記設置面から離れて位置された、請求項１に記載のスタンド装置。
【請求項３】
前記第一壁は、前記設置面と前記第一方向に離間しており、
前記シェルフ部は、前記第一壁または前記第二壁から前記第一方向の反対方向に突出し、前記設置面と当接可能な第五壁を有した、請求項１または２に記載のスタンド装置。
【請求項４】
前記第五壁は、前記第一壁に物が載せられていない状態では前記設置面から離間した、請求項３に記載のスタンド装置。
【請求項５】
前記ベース部は、合成樹脂材料によって構成され、前記第一壁の前記第一方向および前記第二方向と交差した第三方向の両端部をスライド可能に保持したレール部を有した、請求項１〜４のうちいずれか一つに記載のスタンド装置。
【請求項６】
前記筐体は、前記第二方向よりも前記第一方向に長い直方体状に構成され、
前記第二壁の前記第一方向に沿った長さは、前記筐体の前記第一方向に沿った長さの１／２以上である、請求項１〜５のうちいずれか一つに記載のスタンド装置。
【発明の詳細な説明】
【技術分野】
【０００１】
本発明は、スタンド装置に関する。
【背景技術】
【０００２】
従来、電子機器の筐体に取り付けられ、設置面と筐体との間に介在したベース部と、ベース部から設置面に沿って延びたシェルフ部と、を備えたスタンド装置が、知られている（例えば、特許文献１参照）。
【先行技術文献】
【特許文献】
【０００３】
【特許文献１】特開２０００−２０７０５４号公報
【発明の概要】
【発明が解決しようとする課題】
【０００４】
この種のスタンド装置では、例えば、より省スペース化を図ることができたり等、より不都合が少なくなるよう改善された新規な構成が得られれば、有益である。
【０００５】
そこで、本発明の課題の一つは、より不都合が少なくなるよう改善された新規な構成のスタンド装置を得ることである。
【課題を解決するための手段】
【０００６】
本発明の第一態様にかかるスタンド装置は、電子機器の筐体に取り付けられ、設置面と前記筐体との間に介在したベース部と、前記設置面と面した第一壁と、前記第一壁から当該第一壁と交差した第一方向に延びた第二壁と、を有し、前記第一壁が前記ベース部に収納され前記第二壁が前記筐体と隣接した第一位置と、前記第一位置から前記第一方向と交差した第二方向に突出し前記第二壁が前記筐体から離間した第二位置と、の間で移動可能に前記ベース部に支持されたシェルフ部と、を備える。
【０００７】
また、前記ベース部は、前記設置面と前記第一方向に離間し前記筐体を支持した第三壁と、前記第三壁よりも前記第二方向に位置され前記設置面と接した第四壁と、を有し、前記第一壁の前記第一方向の第一面は、前記第四壁の前記第一方向の第二面よりも前記設置面から離れて位置される。
【０００８】
また、前記第一壁は、前記設置面と前記第一方向に離間しており、前記シェルフ部は、前記第一壁または前記第二壁から前記第一方向の反対方向に突出し、前記設置面と当接可能な第五壁を有している。
【０００９】
また、前記第五壁は、前記第一壁に物が載せられていない状態では前記設置面から離間している。
【００１０】
また、前記ベース部は、合成樹脂材料によって構成され、前記第一壁の前記第一方向および前記第二方向と交差した第三方向の両端部をスライド可能に保持したレール部を有している。
【００１１】
また、前記筐体は、前記第二方向よりも前記第一方向に長い直方体状に構成され、前記第二壁の前記第一方向に沿った長さは、前記筐体の前記第一方向に沿った長さの１／２以上である。
【発明の効果】
【００１２】
本発明の上記態様によれば、より不都合が少なくなるよう改善された新規な構成のスタンド装置を得ることができる。
【図面の簡単な説明】
【００１３】
【図１】図１は、実施形態のスタンド装置が取り付けられた電子機器の筐体の例示的な正面図である。
【図２】図２は、実施形態のスタンド装置が取り付けられた電子機器の筐体の例示的な側面図である。
【図３】図３は、実施形態のスタンド装置の例示的な斜視図である。
【図４】図４は、実施形態のスタンド装置および筐体の図３とは異なる角度から見た例示的な斜視図である。
【図５】図５は、実施形態のスタンド装置の例示的な分解斜視図である。
【図６】図６は、実施形態のスタンド装置の一部の図３とは異なる角度から見た例示的な斜視図である。
【図７】図７は、実施形態のスタンド装置の例示的な平面図であって、シェルフ部が第一位置に位置された状態の図である。
【図８】図８は、実施形態のスタンド装置の例示的な平面図であって、シェルフ部が第二位置に位置された状態の図である。
【発明を実施するための形態】
【００１４】
以下、本発明の例示的な実施形態が開示される。以下に示される実施形態の構成、ならびに当該構成によってもたらされる作用および効果は、一例である。本発明は、以下の実施形態に開示される構成以外によっても実現可能である。また、本発明によれば、構成によって得られる種々の効果（派生的な効果も含む）のうち少なくとも一つを得ることが可能である。
【００１５】
なお、本明細書では、序数は、部品や、部材、部位、位置、方向等を区別するためだけに用いられており、順番や優先度を示すものではない。
【００１６】
［実施形態］
図１は、実施形態のスタンド装置３０が取り付けられた電子機器１の筐体２の正面図であり、図２は、筐体２の側面図である。図１，２に示されるように、スタンド装置３０は、例えば、デスクトップ型のパーソナルコンピュータのパソコン本体等によって構成された電子機器１の筐体２に取り付けられている。スタンド装置３０は、机や、台、棚等の設置面１００と筐体２との間に介在し、筐体２を縦置きの状態で支持する。
【００１７】
以下の説明では、便宜上、互いに直交する三方向が定義されている。Ｘ方向は、筐体２の奥行方向（前後方向）に沿うとともに、スタンド装置３０の長手方向に沿う。Ｙ方向は、筐体２の幅方向（左右方向）に沿うとともに、スタンド装置３０の幅方向（短手方向）に沿う。Ｚ方向は、筐体２の高さ方向（上下方向）に沿うとともに、スタンド装置３０の高さ方向（厚さ方向、上下方向）に沿う。
【００１８】
Ｚ方向は、設置面１００（底壁２１）と交差した第一方向の一例である。Ｙ方向は、第一方向と交差した第二方向の一例である。Ｘ方向は、第一方向および第二方向と交差した第三方向の一例である。また、以下の説明では、Ｘ方向は前方、Ｘ方向の反対方向は後方とも称され、Ｙ方向は左方、Ｙ方向の反対方向は右方とも称され、Ｚ方向は上方、Ｚ方向の反対方向は下方とも称される場合がある。
【００１９】
図１，２に示されるように、筐体２は、例えば、Ｙ方向に扁平な直方体状の箱型に構成されている。筐体２は、底壁２ａや、天壁２ｂ、前壁２ｃ、左壁２ｄ、後壁２ｅ、右壁２ｆ等の複数の壁部を有している。底壁２ａは、下壁とも称され、天壁２ｂは、上壁とも称される。また、前壁２ｃ、左壁２ｄ、後壁２ｅ、および右壁２ｆは、側壁や、周壁等とも称される。
【００２０】
底壁２ａおよび天壁２ｂは、いずれも、Ｚ方向と直交する方向（ＸＹ平面）に沿って延びており、Ｚ方向に間隔をあけて互いに平行に設けられている。底壁２ａは、筐体２の下端部を構成し、天壁２ｂは、筐体２の上端部を構成している。底壁２ａには、後述するスタンド装置３０のベース部１０がネジやボルト等の結合具１８（図３，４参照）によって固定されている。
【００２１】
前壁２ｃおよび後壁２ｅは、いずれも、Ｘ方向と直交する方向（ＹＺ平面）に沿って延びており、Ｘ方向に間隔をあけて互いに平行に設けられている。前壁２ｃは、底壁２ａおよび天壁２ｂのＸ方向の端部の間に亘り、後壁２ｅは、底壁２ａおよび天壁２ｂのＸ方向の反対方向の端部の間に亘っている。前壁２ｃは、筐体２の前端部を構成し、後壁２ｅは、筐体２の後端部を構成している。前壁２ｃ（図１参照）には、光学ドライブ３や、電源ボタン４、コネクタ５等が設けられている。
【００２２】
左壁２ｄおよび右壁２ｆは、いずれも、Ｙ方向と直交する方向（ＸＺ平面）に沿って延びており、Ｙ方向に間隔をあけて互いに平行に設けられている。左壁２ｄは、底壁２ａおよび天壁２ｂのＹ方向の端部の間に亘り、右壁２ｆは、底壁２ａおよび天壁２ｂのＹ方向の反対方向の端部の間に亘っている。左壁２ｄは、筐体２の左端部を構成し、右壁２ｆは、筐体２の右端部を構成している。
【００２３】
また、左壁２ｄおよび右壁２ｆのうち一方は、後述するスタンド装置３０のシェルフ部２０と面している。そして、本実施形態では、例えば、左壁２ｄ（一方）とシェルフ部２０との間の収納スペース４０に、書籍やファイル等の収納物５０（図２参照）が収納（保持）される。シェルフ部２０は、ブックシェルフ部や、ブックスタンド部、ブックエンド部等とも称される。
【００２４】
図３は、スタンド装置３０の斜視図であり、図４は、スタンド装置３０および筐体２の図３とは異なる角度から見た斜視図である。図３，４に示されるように、スタンド装置３０は、例えば、ベース部１０と、シェルフ部２０と、を備えている。ベース部１０は、底壁２ａに沿って延びた四角形状の板状に構成され、シェルフ部２０は、底壁２ａおよび左壁２ｄに沿って延びた略Ｌ字状の板状に構成されている。
【００２５】
ベース部１０は、例えば、底壁１１と、複数の脚壁１２，１３と、を有している。底壁１１は、設置面１００とＺ方向に離間して位置されている。底壁１１は、Ｚ方向の上面１１ａ（図３参照）と、Ｚ方向の反対方向の下面１１ｂ（図４参照）と、を有する。下面１１ｂは、設置面１００と面し、上面１１ａは、底壁２ａと面する。底壁１１は、第三壁の一例である。
【００２６】
上面１１ａの四つの角部には、それぞれ底壁２ａを弾性的に支持する弾性体１７が設けられている。弾性体１７は、例えば、エラストマやゴム等によって構成されている。弾性体１７は、少なくとも一部が上面１１ａよりもＺ方向に突出した状態で、底壁１１に設けられた各凹部１１ｇに収容されている。弾性体１７は、緩衝材や、クッション材等とも称される。
【００２７】
脚壁１２は、底壁１１の四つの角部のうちシェルフ部２０（左壁２ｄ）側、すなわちＹ方向の二つの角部に設けられている。脚壁１２は、それぞれ、底壁１１からＺ方向の反対方向に突出し、かつ底壁１１とは離れた位置で設置面１００に沿ってＹ方向に延びている。脚壁１２は、設置面１００と接し、底壁１１を設置面１００から離間した状態で支持する。脚壁１２は、第四壁の一例である。
【００２８】
また、脚壁１２には、Ｚ方向の反対方向に突出した突出部１２ａ（図４参照）が設けられている。突出部１２ａは、例えば、エラストマやゴム等の弾性体によって構成され、設置面１００との当接による摩耗や滑り等が抑制されている。突出部１２ａ（弾性体）は、例えば、脚壁１２からＺ方向に突出し、Ｚ方向の反対方向に向けて開放された凸状の収容部１２ｂ（図３参照）に収容されている。
【００２９】
脚壁１３は、底壁１１の四つの角部のうちシェルフ部２０とは反対側、すなわちＹ方向の反対方向の二つの角部に設けられている。脚壁１３は、それぞれ、底壁１１からＺ方向の反対方向に突出し、かつ底壁１１とは離れた位置で設置面１００に沿ってＹ方向の反対方向に延びている。脚壁１３は、設置面１００と接し、底壁１１を設置面１００から離間した状態で支持する。
【００３０】
また、脚壁１３には、Ｚ方向の反対方向に突出した突出部１３ａ（図４参照）が設けられている。突出部１３ａは、例えば、突出部１２ａと同様に、エラストマやゴム等の弾性体によって構成され、脚壁１３からＺ方向に突出し、Ｚ方向の反対方向に向けて開放された収容部１３ｂ（図３参照）に収容されている。
【００３１】
シェルフ部２０は、例えば、底壁２１と、側壁２２と、脚壁２３と、を有している。底壁２１は、設置面１００に沿って延びた四角形状の板状に構成されている。底壁２１は、設置面１００とＺ方向に離間した状態で、後述するベース部１０のレール部１４（図５，６参照）にＹ方向に沿ってスライド可能に支持されている。底壁２１は、第一壁の一例であり、横壁等とも称される。
【００３２】
また、底壁２１は、Ｚ方向の上面２１ａと、Ｚ方向の反対方向の下面２１ｂと、を有する。下面２１ｂは、設置面１００と面し、上面２１ａは、収納スペース４０（収納物５０、図１参照）と面する。本実施形態では、上面２１ａは、脚壁１２の収容部１２ｂのＺ方向の頂面１２ｂ１よりも設置面１００から離れて位置されている。上面２１ａは、第一面の一例であり、頂面１２ｂ１は、第二面の一例である。
【００３３】
また、図３に示されるように、底壁２１には、上面２１ａと下面２１ｂとをＺ方向に貫通したスリット部２１ｃが設けられている。スリット部２１ｃは、例えば、底壁２１のＸ方向の両端部２１ｄに設けられ、Ｙ方向に沿って細長く延びている。スリット部２１ｃには、後述するベース部１０のストッパ部１５（図５，６参照）が挿入される。
【００３４】
側壁２２は、例えば、底壁２１のＹ方向の端部からＺ方向に延びた四角形状の板状に構成されている。本実施形態では、側壁２２のＺ方向に沿った長さＬ１（図２参照）は、筐体２のＺ方向に沿った長さＬ２の１／２以上に設定されている。側壁２２は、第二壁の一例であり、立壁や、縦壁等とも称される。
【００３５】
また、側壁２２は、Ｙ方向の外面２２ｂと、Ｙ方向の反対方向の内面２２ａ（図１，３，４参照）と、を有する。内面２２ａは、収納スペース４０（収納物５０、左壁２ｄ）と面し、外面２２ｂは、収納スペース４０とは反対側を向いている。また、側壁２２には、内面２２ａと外面２２ｂとをＹ方向に貫通した開口部２２ｃが設けられている。
【００３６】
脚壁２３は、例えば、側壁２２の開口部２２ｃの縁部に設けられている。脚壁２３は、開口部２２ｃの縁部からＺ方向の反対方向に突出し、かつ側壁２２とはＺ方向の反対方向にずれた位置で設置面１００に沿ってＹ方向に延びている。本実施形態では、脚壁２３は、底壁２１に収納物５０が載せられていない状態では、設置面１００からＺ方向に僅かに離間して位置されている。そして、脚壁２３は、底壁２１が収納物５０の重さによりＺ方向の反対方向に撓むことによって設置面１００と当接可能である。脚壁２３は、第五壁の一例である。
【００３７】
また、脚壁２３には、Ｚ方向の反対方向に突出した突出部２３ａ（図４参照）が設けられている。突出部２３ａは、エラストマやゴム等の弾性体によって構成され、設置面１００との当接による摩耗や滑り等が抑制されている。突出部２３ａ（弾性体）は、例えば、脚壁２３からＺ方向に突出し、Ｚ方向の反対方向に向けて開放された凸状の収容部２３ｂ（図３参照）に収容されている。
【００３８】
スタンド装置３０は、例えば、ベース部１０をＺ方向に貫通したネジやボルト等の結合具１８によって底壁２ａに固定される。本実施形態では、底壁１１には、結合具１８に隣接して突出部１９が設けられている。突出部１９は、例えば、底壁２ａの開口部２ｈ（図４参照）の縁部に沿った円筒状に構成されている。突出部１９は、第一位置決め部や、係合ピン等とも称される。
【００３９】
図４に示されるように、底壁２ａには、中心孔２ｇと、開口部２ｈと、が設けられている。中心孔２ｇは、例えば、底壁２ａのＸ方向の両端部に設けられている。中心孔２ｇの内部には、結合具１８の雄ネジ部と噛み合う雌ネジ部が設けられている。
【００４０】
開口部２ｈは、例えば、底壁２ａの中心孔２ｇを間に挟んだＸ方向の両側に設けられている。開口部２ｈは、Ｚ方向の反対方向、すなわちベース部１０に向けて開放された凹部である。開口部２ｈのうちＸ方向の中央側（内側）の一方には、突出部１９（図３参照）が挿入される。開口部２ｈは、第二位置決め部等とも称される。
【００４１】
スタンド装置３０は、上述した開口部２ｈと突出部１９との位置決めによって、第一姿勢（図４参照）と、第一姿勢とは異なる第二姿勢と、の二つの姿勢で取り付け可能に構成されている。第一姿勢（図４参照）では、シェルフ部２０の側壁２２が左壁２ｄと面し、第二姿勢では、側壁２２が右壁２ｆと面する。なお、開口部２ｈは、この例には限定されず、中心孔２ｇのＸ方向の中央側（内側）のみに設けられてもよい。
【００４２】
図５は、スタンド装置３０の分解斜視図であり、図６は、スタンド装置３０の一部の図３とは異なる角度から見た斜視図である。図５，６に示されるように、スタンド装置３０のベース部１０は、複数の部品（分割体）が組み合わせられて構成されている。具体的には、ベース部１０は、例えば、第一部品３１と、第二部品３２と、第三部品３３と、を有している。
【００４３】
第一部品３１は、少なくとも、底壁１１の一部を構成する第一部分１１ｅと、脚壁１２，１３と、を含んでいる。第一部分１１ｅのＸ方向の中央部には、Ｚ方向の反対方向に凹み、Ｚ方向に向けて開放された凹部１１ｃが設けられている。凹部１１ｃには、後述する第二部品３２（図６参照）や、シェルフ部２０の底壁２１等が収容される。第一部品３１は、メイン部品や、ベース部品等とも称される。
【００４４】
図５に示されるように、凹部１１ｃの底部には、第二部品３２に対応して複数の開口部１１ｈが設けられている。開口部１１ｈには、第二部品３２からＺ方向の反対方向に突出した不図示の突起が挿入される。本実施形態では、例えば、開口部１１ｈの縁部と突起との当接によって、第二部品３２の第一部品３１に対するＸＹ平面に沿った移動が制限される。開口部１１ｈは、第三位置決め部等とも称され、突起は、第四位置決め部等とも称される。
【００４５】
また、凹部１１ｃの底部には、底壁２１のスリット部２１ｃに挿入される複数のストッパ部１５が設けられている。ストッパ部１５は、凹部１１ｃのＹ方向の端部からＺ方向に突出している。図６に示されるように、本実施形態では、例えば、ストッパ部１５とスリット部２１ｃのＹ方向の反対方向の縁部との当接によって、シェルフ部２０の第一部品３１（ベース部１０）に対するＹ方向への移動が制限される。
【００４６】
また、ストッパ部１５とスリット部２１ｃのＹ方向の縁部との当接によって、シェルフ部２０の第一部品３１（ベース部１０）に対するＹ方向の反対方向への移動が制限される。すなわち、シェルフ部２０は、ベース部１０に対してスリット部２１ｃの範囲内でＹ方向に沿って移動可能である。スリット部２１ｃは、軌道等とも称される。なお、ストッパ部１５およびスリット部２１ｃは、この例は限定されず、例えば、Ｘ方向の中央側に一組のみ設けられてもよい。
【００４７】
第二部品３２は、少なくとも、レール部１４を含んでいる。レール部１４は、底壁２１のＸ方向の両端部２１ｄに対応して設けられている。レール部１４は、Ｙ方向の視線では、Ｘ方向の中央側（内側）、すなわち底壁２１に向けて開放された略Ｕ字状に構成されている。レール部１４は、底壁２１の両端部２１ｄをＹ方向に沿ってスライド可能に支持する。本実施形態では、第二部品３２は、合成樹脂材料によって構成されている。
【００４８】
第三部品３３（図５参照）は、少なくとも、底壁１１の一部を構成する第二部分１１ｆを含んでいる。第二部分１１ｆは、凹部１１ｃに第二部品３２が収容された状態で、凹部１１ｃをＺ方向から覆う（塞ぐ）。これにより、第二部品３２のＺ方向への移動が制限される。第三部品３３は、サブ部品や、蓋等とも称される。第三部品３３および第一部品３１は、金属材料によって構成されている。
【００４９】
また、第二部分１１ｆのＸ方向の両端部１１ｆ４には、Ｚ方向に貫通した複数の貫通孔１１ｆ１〜１１ｆ３が設けられている。貫通孔１１ｆ１には、上述した結合具１８が挿入され、貫通孔１１ｆ２には、突出部１９が挿入される。また、貫通孔１１ｆ３には、第一部品３１と第三部品３３とをＸＹ平面に沿って位置決めする突出部１６が挿入される。貫通孔１１ｆ１〜１１ｆ３は、逃げ穴等とも称される。
【００５０】
また、第一部分１１ｅには、上面１１ａからＺ方向の反対方向に凹んだ複数の凹部１１ｄが設けられている。凹部１１ｄは、第二部分１１ｆのＸ方向の両端部１１ｆ４を収容可能である。本実施形態では、凹部１１ｄに両端部１１ｆ４が収容された状態、すなわち第一部品３１と第三部品３３とが互いに一体化された状態（図３，７参照）では、第一部分１１ｅの上面１１ａと第二部分１１ｆの上面１１ａとが、Ｘ方向に面一の状態で並んでいる。
【００５１】
図７は、スタンド装置３０の平面図であって、シェルフ部２０が第一位置Ｐ１に位置された状態の図である。図８は、スタンド装置３０の平面図であって、シェルフ部２０が第二位置Ｐ２に位置された状態の図である。図７，８に示されるように、本実施形態では、シェルフ部２０は、ベース部１０の上述したレール部１４に第一位置Ｐ１と第二位置Ｐ２との間で移動可能に支持されている。
【００５２】
シェルフ部２０が第一位置Ｐ１に位置された状態では、底壁２１が上述した凹部１１ｃ（図６参照）内に収納され、側壁２２が底壁１１および筐体２の左壁２ｄ（図１参照）と隣接（近接）する。なお、第一位置Ｐ１では、側壁２２と左壁２ｄとが当接してもよいし、側壁２２と左壁２ｄとが僅かな隙間をあけて対向（近接）してもよい。
【００５３】
また、図７に示されるように、本実施形態では、シェルフ部２０が第一位置Ｐ１に位置された状態では、底壁２１のＹ方向の反対方向の端部と、脚壁１３のＹ方向の反対方向の端部とが、Ｘ方向に面一の状態で並んでいる。これにより、シェルフ部２０がベース部１０よりもＹ方向の反対方向に突出するのが抑制されている。
【００５４】
一方、図８に示されるように、シェルフ部２０が第二位置Ｐ２に位置された状態では、底壁２１が凹部１１ｃからＹ方向に突出し、側壁２２が底壁１１および筐体２の左壁２ｄ（図１参照）から離間する。これにより、左壁２ｄと側壁２２との間に、書籍やファイル等の収納物５０を収納可能な収納スペース４０が形成される。
【００５５】
以上のように、本実施形態では、スタンド装置３０は、電子機器１の筐体２に取り付けられ、設置面１００と筐体２との間に介在したベース部１０と、設置面１００と面した底壁２１（第一壁）と、底壁２１から当該底壁２１と交差したＺ方向（第一方向）に延びた側壁２２（第二壁）と、を有し、底壁２１がベース部１０に収納され側壁２２が筐体２と隣接した第一位置Ｐ１と、第一位置Ｐ１からＹ方向（第二方向）に突出し側壁２２が筐体２から離間した第二位置Ｐ２と、の間で移動可能にベース部１０に支持されたシェルフ部２０と、を備える。
【００５６】
このような構成によれば、例えば、シェルフ部２０の使用時には第二位置Ｐ２に位置された側壁２２と筐体２との間の収納スペース４０に書籍やファイル等の収納物５０を収納（保持）できる一方で、非使用時には側壁２２を筐体２と隣接した第一位置Ｐ１に収納できる。よって、例えば、より省スペース化を図りやすいスタンド装置３０を得ることができる。また、例えば、収納物５０の量（増減）に応じて第一位置Ｐ１と第二位置Ｐ２との間の範囲で収納スペース４０のＹ方向に沿った幅、すなわち側壁２２のＹ方向の突出量を調整することができるという利点もある。
【００５７】
また、本実施形態では、ベース部１０は、設置面１００とＺ方向に離間し筐体２を支持した底壁１１（第三壁）と、底壁１１よりもＹ方向に位置され設置面１００と接した脚壁１２（第四壁）と、を有し、底壁２１のＺ方向の上面２１ａ（第一面）は、脚壁１２のＺ方向の頂面１２ｂ１（第二面）よりも設置面１００から離れて位置される。
【００５８】
このような構成によれば、例えば、ベース部１０の頂面１２ｂ１が上面２１ａよりも設置面１００から離れた収納スペース４０内に位置されるのが抑制され、ひいては収納物５０の収納スペース４０がより広くあるいはより確実に確保されうる。また、例えば、底壁１１と設置面１００との間の隙間（凹部１１ｃ）を有効に利用して、シェルフ部２０の底壁２１を収納することができる。
【００５９】
また、本実施形態では、底壁２１は、設置面１００とＺ方向に離間しており、シェルフ部２０は、側壁２２からＺ方向の反対方向に突出し、設置面１００と当接可能な脚壁２３（第五壁）を有している。
【００６０】
このような構成によれば、例えば、脚壁２３と設置面１００との当接によって、底壁２１に載せられた収納物５０をよりしっかりと保持することができる。また、例えば、脚壁２３と設置面１００との当接によって、スタンド装置３０の安定性が向上し、ひいては電子機器１の筐体２に地震等による振動が入力された場合の当該筐体２の傾倒が抑制されやすい。
【００６１】
また、本実施形態では、脚壁２３は、底壁２１に収納物５０が載せられていない状態では設置面１００から離間している。
【００６２】
このような構成によれば、例えば、設置面１００と離間した脚壁２３によって、シェルフ部２０の第一位置Ｐ１と第二位置Ｐ２との間の移動が、より容易に、あるいはより円滑に行われやすい。
【００６３】
また、本実施形態では、ベース部１０は、合成樹脂材料によって構成され、底壁２１のＸ方向（第三方向）の両端部２１ｄをスライド可能に保持したレール部１４を有している。
【００６４】
このような構成によれば、レール部１４が合成樹脂材料によって構成されているため、例えば、底壁２１の両端部２１ｄとレール部１４との摺動による異音や摩耗等が抑制されやすい。
【００６５】
また、本実施形態では、筐体２は、Ｙ方向よりもＺ方向に長い直方体状に構成され、側壁２２のＺ方向に沿った長さＬ１は、筐体２のＺ方向に沿った長さＬ２の１／２以上に設定されている。
【００６６】
このような構成によれば、例えば、側壁２２によって、筐体２の長さＬ２以下の長さ（高さ）を有した収納物５０が、より確実に、あるいはよりしっかりと安定した状態で支持（保持）されうる。
【００６７】
以上、本発明の実施形態が例示されたが、上記実施形態は一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。また、各構成や、形状、等のスペック（構造や、種類、方向、形式、大きさ、長さ、幅、厚さ、高さ、数、配置、位置、材質等）は、適宜に変更して実施することができる。
【符号の説明】
【００６８】
１…電子機器、２…筐体、１０…ベース部、１１…底壁（第三壁）、１２…脚壁（第四壁）、１２ｂ１…頂面（第二面）、１４…レール部、２０…シェルフ部、２１…底壁（第一壁）、２１ａ…上面（第一面）、２１ｄ…両端部、２２…側壁（第二壁）、２３…脚壁（第五壁）、３０…スタンド装置、５０…収納物（物）、１００…設置面、Ｌ１…第二壁の長さ、Ｌ２…筐体の長さ、Ｐ１…第一位置、Ｐ２…第二位置、Ｘ…第三方向、Ｙ…第二方向、Ｚ…第一方向。
【図１】
2020149420.tif 000003
【図２】
2020149420.tif 000004
【図３】
2020149420.tif 000005
【図４】
2020149420.tif 000006
【図５】
2020149420.tif 000007
【図６】
2020149420.tif 000008
【図７】
2020149420.tif 000009
【図８】
2020149420.tif 000010
【手続補正書】
【提出日】令和1年6月24日(2019.6.24)
【手続補正１】
【補正対象書類名】特許請求の範囲
【補正対象項目名】全文
【補正方法】変更
【補正の内容】
【特許請求の範囲】
【請求項１】
電子機器の筐体に取り付けられ、設置面と前記筐体との間に介在したベース部と、
前記設置面と面した第一壁と、前記第一壁から当該第一壁と交差した第一方向に延びた第二壁と、を有し、前記第一壁が前記ベース部に収納され前記第二壁が前記筐体と隣接した第一位置と、前記第一位置から前記第一方向と交差した第二方向に突出し前記第二壁が前記筐体から離間した第二位置と、の間で移動可能に前記ベース部に支持されたシェルフ部と、
を備え、
前記ベース部は、前記設置面と前記第一方向に離間し前記筐体を支持した第三壁と、前記第三壁よりも前記第二方向に位置され前記設置面と接した第四壁と、を有し、
前記第一壁の前記第一方向の第一面は、前記第四壁の前記第一方向の第二面よりも前記設置面から離れて位置された、スタンド装置。
【請求項２】
前記第一壁は、前記設置面と前記第一方向に離間しており、
前記シェルフ部は、前記第一壁または前記第二壁から前記第一方向の反対方向に突出し、前記設置面と当接可能な第五壁を有した、請求項１に記載のスタンド装置。
【請求項３】
電子機器の筐体に取り付けられ、設置面と前記筐体との間に介在したベース部と、
前記設置面と面した第一壁と、前記第一壁から当該第一壁と交差した第一方向に延びた第二壁と、を有し、前記第一壁が前記ベース部に収納され前記第二壁が前記筐体と隣接した第一位置と、前記第一位置から前記第一方向と交差した第二方向に突出し前記第二壁が前記筐体から離間した第二位置と、の間で移動可能に前記ベース部に支持されたシェルフ部と、
を備え、
前記第一壁は、前記設置面と前記第一方向に離間しており、
前記シェルフ部は、前記第一壁または前記第二壁から前記第一方向の反対方向に突出し、前記設置面と当接可能な第五壁を有した、スタンド装置。
【請求項４】
前記第五壁は、前記第一壁に物が載せられていない状態では前記設置面から離間した、請求項２または３に記載のスタンド装置。
【請求項５】
前記ベース部は、合成樹脂材料によって構成され、前記第一壁の前記第一方向および前記第二方向と交差した第三方向の両端部をスライド可能に保持したレール部を有した、請求項１〜４のうちいずれか一つに記載のスタンド装置。
【請求項６】
前記筐体は、前記第二方向よりも前記第一方向に長い直方体状に構成され、
前記第二壁の前記第一方向に沿った長さは、前記筐体の前記第一方向に沿った長さの１／２以上である、請求項１〜５のうちいずれか一つに記載のスタンド装置。
【手続補正２】
【補正対象書類名】明細書
【補正対象項目名】０００６
【補正方法】変更
【補正の内容】
【０００６】
本発明の第一態様にかかるスタンド装置は、電子機器の筐体に取り付けられ、設置面と前記筐体との間に介在したベース部と、前記設置面と面した第一壁と、前記第一壁から当該第一壁と交差した第一方向に延びた第二壁と、を有し、前記第一壁が前記ベース部に収納され前記第二壁が前記筐体と隣接した第一位置と、前記第一位置から前記第一方向と交差した第二方向に突出し前記第二壁が前記筐体から離間した第二位置と、の間で移動可能に前記ベース部に支持されたシェルフ部と、を備え、前記ベース部は、前記設置面と前記第一方向に離間し前記筐体を支持した第三壁と、前記第三壁よりも前記第二方向に位置され前記設置面と接した第四壁と、を有し、前記第一壁の前記第一方向の第一面は、前記第四壁の前記第一方向の第二面よりも前記設置面から離れて位置される。
【手続補正３】
【補正対象書類名】明細書
【補正対象項目名】０００７
【補正方法】変更
【補正の内容】
【０００７】
また、前記第一壁は、前記設置面と前記第一方向に離間しており、前記シェルフ部は、前記第一壁または前記第二壁から前記第一方向の反対方向に突出し、前記設置面と当接可能な第五壁を有している。
【手続補正４】
【補正対象書類名】明細書
【補正対象項目名】０００８
【補正方法】変更
【補正の内容】
【０００８】
また、本発明の第二態様にかかるスタンド装置は、電子機器の筐体に取り付けられ、設置面と前記筐体との間に介在したベース部と、前記設置面と面した第一壁と、前記第一壁から当該第一壁と交差した第一方向に延びた第二壁と、を有し、前記第一壁が前記ベース部に収納され前記第二壁が前記筐体と隣接した第一位置と、前記第一位置から前記第一方向と交差した第二方向に突出し前記第二壁が前記筐体から離間した第二位置と、の間で移動可能に前記ベース部に支持されたシェルフ部と、を備え、前記第一壁は、前記設置面と前記第一方向に離間しており、前記シェルフ部は、前記第一壁または前記第二壁から前記第一方向の反対方向に突出し、前記設置面と当接可能な第五壁を有している。